(57)【要約】【課題】使用時において中の詰め物が飛び出すことがなく、かつ詰め物を簡単に取り出して、洗濯できる縫いぐるみを提供すること。【解決手段】詰め物１２が詰め込まれて縫いぐるみ１が形成される縫いぐるみ主体２が、背面側布地部材５の下部に、正面側下部布地部材４が縫着されるとともに、背面側布地部材５の上部には、正面側上部布地部材３が正面側下部布地部材４の外側して、その下端部分７が正面側下部布地部材４の上端部分８との間に空隙を有し重ね合わされて縫着されることによって形成され、かつ正面側上部布地部材３の下端部分７と正面側下部布地部材４の上端部分８との間の空隙部分によって詰め物１２の出し入れ口１０が形成され、この出し入れ口１０から詰め物１２が取り出されて縫いぐるみ主体２が洗濯され、再度詰め物１２が詰め込まれ、きれいな縫いぐるみとして使用される。【選択図】    図１
0003131617.tif 000002
【実用新案登録請求の範囲】
【請求項１】
詰め物（１２）が詰め込まれて縫いぐるみ（１）が形成される縫いぐるみ主体（２）が、背面側布地部材（５）の下部に、正面側下部布地部材（４）がその縫合ライン（６）に沿って縫着され、前記背面側布地部材（５）の上部には、正面側上部布地部材（３）が前記正面側下部布地部材（４）の外側して、その下端部分（７）が前記正面側下部布地部材（４）の上端部分（８）との間に空隙を有し重ね合わされて縫合ライン（９）に沿い縫着されて形成され、かつ前記正面側上部布地部材（３）の前記下端部分（７）と前記正面側下部布地部材（４）の前記上端部分（８）との間の空隙部分によって前記詰め物（１２）の出し入れ口（１０）が形成され、この出し入れ口(１０)から前記詰め物(１２)が取り出されて前記縫いぐるみ主体(２)が洗濯され、再度前記詰め物(１２)が詰め込まれて使用される構成を特徴とする洗濯できる縫いぐるみ。
【請求項２】
前記正面側上部布地部材（３）の前記下端部分（７）と前記正面側下部布地部材（４）の前記上端部分（８）のそれぞれの捲れを防止するための捲れ防止部材（１３）が、前記下端部分（７）および前記上端部分（８）の端縁横幅方向に抱着されていることを特徴とする請求項１の洗濯できる縫いぐるみ。
【請求項３】
前記正面側上部布地部材（３）の前記下端部分（７）と前記正面側下部布地部材（４）の前記上端部分（８）に、前記詰め物（１２）の出し入れ口（１０）を閉塞、開口するための一対の止着部材（１４）が設けられていることを特徴とする請求項１の洗濯できる縫いぐるみ。
【考案の詳細な説明】
【技術分野】
【０００１】
本考案は、洗濯できる縫いぐるみに関し、更に詳しくは、縫いぐるみにおける外側布地部材が汚れて、外観上の体裁が損なわれた場合に、中の詰め物を取り出して外側布地部材を洗濯し、または、外側布地部材と詰め物を洗濯して清潔にし、かつ衛生的に再使用できるようにし縫いぐるみに関するものである。
【背景技術】
【０００２】
周知のように、動物などの形に縫った袋に詰め物をした縫いぐるみは、子供たちの玩具、或いは人形として大変に親しまれ、広く用いられている。
【０００３】
ところで、一般的に縫いぐるみは、詰め物として中綿を用いているため、縫いぐるみが汚れて外観上の体裁が損なわれたり、或いは外観上において不衛生となったり、詰め物が汚れて不衛生となった場合には、縫いぐるみを丸洗いして清潔にすることが考えられるが、詰め物が綿などであるため、洗っても全体が乾き難く、乾燥に時間が掛かり衛生的ではない。
【０００４】
特許文献１には、縫いぐるみの背面部に詰め物の出し入れ口を設けた洗える縫いぐるみが開示されている。
【０００５】
しかしながら、この特許文献１のものは、単に詰め物の出し入れ口を設けただけのものであって、出し入れ口に工夫が加えられていため、使用時において、中の詰め物が部分的に飛び出たりする恐れがあって好ましくない。
【特許文献１】実開平７−１５０９５号公報
【考案の開示】
【考案が解決しようとする課題】
【０００６】
本考案が解決しようとする問題点は、使用時において、雑に取り扱うと中の詰め物が飛び出す恐れがあるという点である。
【０００７】
したがって、本考案の目的は、使用時において、雑に取り扱っても中の詰め物が飛び出すことがない洗濯できるぬいぐるみを提供することにある。
【０００８】
また、汚れた縫いぐるみを洗うために、中の詰め物の出し入れが簡単にできる縫いぐるみを提供することにある。
【０００９】
この目的のため、本考案の請求項1に記載の洗濯できる縫いぐるみは、詰め物１２が詰め込まれて縫いぐるみ１が形成される縫いぐるみ主体２が、背面側布地部材５の下部に、正面側下部布地部材４がその縫合ライン６に沿って縫着され、前記背面側布地部材５の上部には、正面側上部布地部材３が前記正面側下部布地部材４の外側して、その下端部分７が前記正面側下部布地部材４の上端部分８との間に空隙を有し重ね合わされて縫合ライン９に沿い縫着されて形成され、かつ前記正面側上部布地部材３の前記下端部分７と前記正面側下部布地部材４の前記上端部分８との間の空隙部分によって前記詰め物１２の出し入れ口１０が形成され、この出し入れ口１０から前記詰め物１２が取り出されて前記縫いぐるみ主体２が洗濯され、再度前記詰め物１２が詰め込まれて使用される構成を特徴とするものである。
【００１０】
請求項２に記載の洗濯できる縫いぐるみは、前記正面側上部布地部材３の前記下端部分７と前記正面側下部布地部材４の前記上端部分８のそれぞれの捲れを防止するための捲れ防止部材１３が、前記下端部分７および前記上端部分８の端縁横幅方向に抱着されていることを特徴とするものである。
【００１１】
請求項３に記載の洗濯できる縫いぐるみは、前記正面側上部布地部材３の前記下端部分７と前記正面側下部布地部材４の前記上端部分８に、前記詰め物１２の出し入れ口１０を閉塞、開口するための一対の止着部材１４が設けられていることを特徴とするものである。
【考案の効果】
【００１２】
請求項1から請求項３に記載の考案によれば、綿などの詰め物１２は、指を差し入れて出し入れ口１０から簡単に取り出すことができるとともに、取り出し口１０は、重ね合わされた正面側上部布地部材３の下端部分７と正面側下部布地部材４の上端部分８によって閉塞されているから、使用時において、ある程度雑に取り扱われたとしても詰め物１２が飛び出すということはない。
【考案を実施するための最良の形態】
【００１３】
以下、本考案を実施するための最良の形態について、図面を参照し、その作用と共に説明する。
【００１４】
図１は、本考案に係る洗濯のできる縫いぐるみの一例での正面図、図２は、図１において一部を分解して示す正面図、図３は、図１の３−３線に沿った一部省略の断面図で、これら図において、本考案は、縫いぐるみを形成する主体に、この主体内に詰め込まれた詰め物の出し入れ口が設けられ、この出し入れ口から詰め物が取り出されて縫いぐるみ主体が洗濯され、再度詰め物が詰め込まれて使用されるように構成されたものである。
【００１５】
縫いぐるみ１を形成する縫いぐるみ主体２は、正面側上部布地部材３と正面側下部布地部材４および背面側布地部材５の３枚の布地部材で構成され、例えば、動物など適宜の形状に形成されている。
【００１６】
背面側布地部材５の略中間下部に、正面側下部布地部材４がその縫合ライン６に沿って略Ｕ字形に縫着され、背面側布地部材５の略中間上部には、正面側上部布地部材３が正面側下部布地部材４の外側して、かつその下端部分７が正面側下部布地部材４の上端部分８との間に空隙を有し重ね合わされて縫合ライン９に沿い略逆Ｕ字形に縫着されて縫いぐるみ主体２が形成されるとともに、正面側上部布地部材３の下端部分７と正面側下部布地部材４の上端部分８との間の空隙部分によって詰め物出し入れ口１０が形成されている。
【００１７】
このように縫着されて形成された縫いぐるみ主体２の袋状部１１には、例えば綿などの詰め物１２が詰め込まれて縫いぐるみ１とされている。
【００１８】
このように構成された縫いぐるみ１において、縫いぐるみ主体２が汚れて洗濯しなければならなくなった場合には、出し入れ口１０から袋状部１１に手を差し入れて中の詰め物１２を取り出し、詰め物１２の取り出された縫いぐるみ主体２を洗濯して乾燥させた後、出し入れ口１０から再度詰め物１２を詰め込み、縫いぐるみ１とされる。
【００１９】
なお、必要に応じ、縫いぐるみ主体２の洗濯の他に、詰め物１２の洗濯もあり得ることは勿論である。  
【００２０】
このようにして、縫いぐるみ主体２は、詰め物１２が取り出された状態で洗濯されるので、縫いぐるみ主体２は速やかに乾燥する。
【００２１】
本考案に係る縫いぐるみの変形は可能であり、図４から図９に他の変形態様が示されている。
【００２２】
そこで、これらの変形態様について説明すると、上記実施例において、詰め物１２の出し入れ口１０は、正面側上部布地部材３の下端部分７と正面側下部布地部材４の上端部分８との間の空隙部分により形成されているが、この場合において、正面側上部布地部材３の下端部分７と正面側下部布地部材４の上端部分８のそれぞれの捲れを防止するため、図４および図５に例示されているように、重なり合っている下端部分７および上端部分８の端縁横幅方向に、金属線、好ましくは、可撓性を有するプラスチック製の棒状部材からなる捲れ防止部材１３が抱着されている。
【００２３】
図６および図７は、正面側上部布地部材３の下端部分７と正面側下部布地部材４の上端部分８のそれぞれの捲れを防止し、かつ出し入れ口１０を閉塞しておくため、正面側上部布地部材３の下端部分７と、これと対接する正面側下部布地部材４の上端部分８にベルベットテープやホックなどの一対の止着部材１４が設けられたものである。
【００２４】
また、図８は、縫いぐるみ主体２の背面側に出し入れ口１０を開閉するスライドファスナー１５が設けられたものである。
【００２５】
また、図９は、縫いぐるみ主体２の背面側に出し入れ口１０を開閉する一対のベルベットテープ１６が設けられたものである。
【図面の簡単な説明】
【００２６】
【図１】本考案に係る洗濯のできる縫いぐるみの一例での正面図である。
【図２】図１において一部を分解して示す正面図である。
【図３】図１の３−３線に沿った一部省略の断面図である。
【図４】本考案の他例を示す正面図である。
【図５】図４の５−５線に沿った断面図である。
【図６】本考案の他例を示す一部分解の正面図である。
【図７】本考案の他例を示す縦断面図である。
【図８】本考案の他例を示す背面図である。
【図９】本考案の他例を示す一部分解の背面図である。
【符号の説明】
【００２７】
１    縫いぐるみ
２    縫いぐるみ主体
３    正面側上部布地部材
４    正面側下部布地部材
５    背面側布地部材
７    正面側上部布地部材の下端部分
８    正面側下部布地部材の上端部分
１０    出し入れ口
１２    詰め物
１３    捲れ防止部材
１４    一対の止着部材
【図１】
0003131617.tif 000003
【図２】
0003131617.tif 000004
【図３】
0003131617.tif 000005
【図４】
0003131617.tif 000006
【図５】
0003131617.tif 000007
【図６】
0003131617.tif 000008
【図７】
0003131617.tif 000009
【図８】
0003131617.tif 000010
【図９】
0003131617.tif 000011